(57)【要約】【課題】各種の住宅内装設備の配置位置や高さレベルを居住者にとって使い勝手の良いように設計できる住宅内装設備設計用表示装置、住宅内装設備設計用プログラム、及び記録媒体を提供する。【解決手段】建築物の住宅内装設備のデータを記憶する設備データ記憶手段１と、建築物の居住者の体格や動作のデータを記憶する人物データ記憶手段３とを備える。表示手段２にて、設備データ記憶手段１のデータに基づいて住宅内装設備の画像表示を行う。モデル作成手段４にて、建築物に居住する居住者の人物モデルＰを作成する。モデル作成手段４にて作成した人物モデルＰをその居住者に応じた動作を可能として表示手段２の画面１４上に映し出す。【選択図】図１
2007011433.tif 000002
【特許請求の範囲】
【請求項１】
建築物の住宅内装設備のデータを記憶する設備データ記憶手段（１）と、この設備データ記憶手段（１）のデータに基づいて住宅内装設備の画像表示を行う表示手段（２）と、上記建築物の居住者の体格や動作のデータを記憶する人物データ記憶手段（３）と、この人物データ記憶手段（３）のデータから上記建築物に居住する居住者の人物モデル（Ｐ）を作成するモデル作成手段（４）と、このモデル作成手段（４）にて作成した人物モデル（Ｐ）をその居住者に応じた動作を可能として上記表示手段（２）の画面（１４）上に映し出すモデル映し出し手段（５）とを備えたことを特徴とする住宅内装設備設計用表示装置。
【請求項２】
建築物の住宅内装設備のデータを記憶する設備データ記憶手段（１）と、この設備データ記憶手段（１）のデータに基づいて住宅内装設備の画像表示を行う表示手段（２）と、上記建築物の居住者の加齢による体格や動作の変化の予測データを記憶する予測データ記憶手段（２２）と、この予測データ記憶手段（２２）から任意に選択した年数経過時の予測データに応じて、この年数経過時の居住者の人物モデル（Ｐ１）を作成するモデル作成手段（２３）と、このモデル作成手段（２３）にて作成した人物モデル（Ｐ１）をその居住者に応じた動作を可能として上記表示手段（２）の画面（１４）上に映し出すモデル映し出し手段（２４）とを備えたことを特徴とする住宅内装設備設計用表示装置。
【請求項３】
建築物の住宅内装設備のデータを記憶する設備データ記憶手段（１）と、この設備データ記憶手段（１）のデータに基づいて住宅内装設備の画像表示を行う表示手段（２）と、上記建築物の居住者の現在の体格や動作のデータを記憶する人物データ記憶手段（２１）と、この人物データ記憶手段（２１）のデータから上記建築物に居住する居住者の人物モデル（Ｐ）を作成するモデル作成手段（２５）と、モデル作成手段（２５）にて作成した人物モデル（Ｐ）をその居住者に応じた動作を可能として上記表示手段（２）の画面（１４）上に映し出すモデル映し出し手段（２７）と、居住者の加齢による体格や動作の変化の予測データを記憶する予測データ記憶手段（２２）と、任意に選択した年数経過時の予測データに応じて、居住者の人物モデル（Ｐ１）及び人物モデル動作を変更する変更手段（２６）とを備えたことを特徴とする住宅内装設備設計用表示装置。
【請求項４】
上記予測データ記憶手段（２２）の予測データは、居住者の変動データを含むことを特徴とする請求項２又は請求項３の住宅内装設備設計用表示装置。
【請求項５】
上記住宅内装設備の画像が三次元画像であると共に、上記居住者の人物モデル（Ｐ）（Ｐ１）が三次元形状であって、人物モデル動作の三次元動作が可能であることを特徴とする請求項１〜請求項４のいずれかの住宅内装設備設計用表示装置。
【請求項６】
住宅内装設備を設計するためにコンピュータを、
建築物の住宅内装設備のデータを記憶する設備データ記憶手段（１）、
この設備データ記憶手段（１）のデータに基づいて住宅内装設備を表示手段（２）の画面（１４）上に映し出す設備映し出し手段（１５）、
上記建築物の居住者の体格や動作のデータを記憶する人物データ記憶手段（３）、
この人物データ記憶手段（３）のデータから上記建築物に居住する居住者の人物モデル（Ｐ）を作成するモデル作成手段（４）、
このモデル作成手段（４）にて作成した人物モデル（Ｐ）をその居住者に応じた動作を可能として上記表示手段（２）の画面（１４）上に映し出すモデル映し出し手段（５）、
として機能させることを特徴とする住宅内装設備設計用プログラム。
【請求項７】
住宅内装設備を設計するためにコンピュータを、
建築物の住宅内装設備のデータを記憶する設備データ記憶手段（１）、
この設備データ記憶手段（１）のデータに基づいて住宅内装設備を表示手段（２）の画面（１４）上に映し出す設備映し出し手段（１５）、
上記建築物の居住者の加齢による体格や動作の変化の予測データを記憶する予測データ記憶手段（２２）、
この予測データ記憶手段（２２）から任意に選択した年数経過時の予測データに応じて、この年数経過時の居住者の人物モデル（Ｐ１）を作成するモデル作成手段（２３）、
このモデル作成手段（２３）にて作成した人物モデル（Ｐ１）をその居住者に応じた動作を可能として上記表示手段（２）の画面（１４）上に映し出すモデル映し出し手段（２４）、
として機能させることを特徴とする住宅内装設備設計用プログラム。
【請求項８】
住宅内装設備を設計するためにコンピュータを、
建築物の住宅内装設備のデータを記憶する設備データ記憶手段（１）、
この設備データ記憶手段（１）のデータに基づいて住宅内装設備を表示手段（２）の画面上（１４）上に映し出す設備映し出し手段（１５）、
上記建築物の居住者の現在の体格や動作のデータを記憶する人物データ記憶手段（２１）、
この人物データ記憶手段（２１）のデータから上記建築物に居住する居住者の人物モデル（Ｐ）を作成するモデル作成手段（２５）、
モデル作成手段（２５）にて作成した人物モデル（Ｐ）をその居住者に応じた動作を可能として上記表示手段（２）の画面（１４）上に映し出すモデル映し出し手段（２７）、
居住者の加齢による体格や動作の変化の予測データを記憶する予測データ記憶手段（２２）、
任意に選択した年数経過時の予測データに応じて、居住者の人物モデル（Ｐ）及び人物モデル動作を変更する変更手段（２６）、
として機能させることを特徴とする住宅内装設備設計用プログラム。
【請求項９】
上記請求項６〜請求項８のいずれかに記載された住宅内装設備設計用プログラムを記憶したことを特徴とするコンピュータ読み取り可能な記憶媒体。
【発明の詳細な説明】
【技術分野】
【０００１】
この発明は、住宅を設計する際等において用いる住宅内装設備設計用表示装置、住宅内装設備設計用プログラム、及び記憶媒体に関するものである。
【背景技術】
【０００２】
住宅は、台所に配置されるシステム・キッチンや浴室に配置される浴槽等の種々の住宅内装設備を備える。このため、この住宅の居住者に合った住宅内装設備を設置するのが好ましい。そこで、近年では、建築物を表すＣＧ画像（コンピュータグラフィックスによる画像）中に、人物像を表示できるようにしたものが提案されている（例えば、特許文献１参照）。
【０００３】
すなわち、上記特許文献１に記載のものは、建築物を表すＣＧ画像内に人物像を表示することにより、ＣＧ画像により示されている部屋の広さや建具の大きさ等が適当であるか否かを、ＣＧ画像内の人物像の大きさと比較して判断するようにしている。また、人物像として、手足が一定パターンで動くようにしている。さらに、他の家族の人物像の表示も可能としている。
【０００４】
また、３次元空間での大きさを把握して、住宅の３次元プレゼンテーション等を表現できるようにしたものも提案されている（例えば、特許文献２参照）。この特許文献２に記載のものは、３次元空間で、人間のモデルを表示し、空間の大きさを測定する動作を生成する仕組みと、測定結果を表示する仕組みを具備し、人間モデルを動作させることにより、３次元空間での任意の２点間の距離を測定するものである。
【特許文献１】特開平１１−３１６８５９号公報
【特許文献２】特開平１１−２５２９０号公報
【発明の開示】
【発明が解決しようとする課題】
【０００５】
しかしながら、上記特許文献１に記載のものは、人物像が画像内で動くことができるが、一定パターンであり、この人物像の基準となっている人物に合った動きをするものではない。このため、この特許文献１に記載された方法によって、各種の住宅内装設備の配置位置や高さレベルを設定したとしても、ユーザーに合った住宅にならないおそれがある。すなわち、体格が同じであっても、各個人によって動作パターンが異なり、手足の上げ下げの範囲や腰の屈める範囲等が相違するからである。
【０００６】
また、上記特許文献２に記載のものも、人間モデルは３次元空間で動作できる。しかしながら、この場合、動作データ群からのデータを動作編集処理にて処理を行い、これによって、人間モデルを動作させている。そして、この動作指示は、動作の方向の指示、腕の上げ下げ等の制御である。このため、この特許文献２に記載のものであっても、人間モデルの元となっている人物（人間）に合った動きをするものではない。そのため、特許文献２に記載に記載された方法によって、各種の住宅内装設備の配置位置や高さレベルを設定したとしても、ユーザー（居住者）に合った住宅にならないおそれがある。
【０００７】
この発明は、上記従来の欠点を解決するためになされたものであって、その目的は、各種の住宅内装設備の配置位置や高さレベルを居住者にとって使い勝手の良いように設計できる住宅内装設備設計用表示装置、住宅内装設備設計用プログラム、及び記憶媒体を提供することにある。
【課題を解決するための手段】
【０００８】
上記の課題を解決するために、この発明の住宅内装設備設計用表示装置は、建築物の住宅内装設備のデータを記憶する設備データ記憶手段１と、この設備データ記憶手段１のデータに基づいて住宅内装設備の画像表示を行う表示手段２と、上記建築物の居住者の体格や動作のデータを記憶する人物データ記憶手段３と、この人物データ記憶手段３のデータから上記建築物に居住する居住者の人物モデルＰを作成するモデル作成手段４と、このモデル作成手段４にて作成した人物モデルＰをその居住者に応じた動作を可能として上記表示手段２の画面１４上に映し出すモデル映し出し手段５とを備えたことを特徴としている。
【０００９】
また、この発明の他の住宅内装設備設計用表示装置は、建築物の住宅内装設備のデータを記憶する設備データ記憶手段１と、この設備データ記憶手段１のデータに基づいて住宅内装設備の画像表示を行う表示手段２と、上記建築物の居住者の加齢による体格や動作の変化の予測データを記憶する予測データ記憶手段２２と、この予測データ記憶手段２２から任意に選択した年数経過時の予測データに応じて、この年数経過時の居住者の人物モデルＰ１を作成するモデル作成手段２３と、このモデル作成手段２３にて作成した人物モデルＰ１をその居住者に応じた動作を可能として上記表示手段２の画面１４上に映し出すモデル映し出し手段２４とを備えたことを特徴としている。
【００１０】
さらに、この発明の別の住宅内装設備設計用表示装置は、建築物の住宅内装設備のデータを記憶する設備データ記憶手段１と、この設備データ記憶手段１のデータに基づいて住宅内装設備の画像表示を行う表示手段２と、上記建築物の居住者の現在の体格や動作のデータを記憶する人物データ記憶手段２１と、この人物データ記憶手段２１のデータから上記建築物に居住する居住者の人物モデルＰを作成するモデル作成手段２５と、モデル作成手段２５にて作成した人物モデルＰをその居住者に応じた動作を可能として上記表示手段２の画面１４上に映し出すモデル映し出し手段２７と、居住者の加齢による体格や動作の変化の予測データを記憶する予測データ記憶手段２２と、任意に選択した年数経過時の予測データに応じて、居住者の人物モデルＰ及び人物モデル動作を変更する変更手段２６とを備えたことを特徴としている。
【００１１】
上記予測データ記憶手段２２の予測データは、居住者の変動データを含む。さらに、上記住宅内装設備の画像が三次元画像であると共に、上記居住者の人物モデルＰ、Ｐ１が三次元形状であって、人物モデル動作の三次元動作が可能である。
【００１２】
この発明の住宅内装設備設計用プログラムは、住宅内装設備を設計するためにコンピュータを、建築物の住宅内装設備のデータを記憶する設備データ記憶手段１、この設備データ記憶手段１のデータに基づいて住宅内装設備を表示手段２の画面１４上に映し出す段設備映し出し手段１５、上記建築物の居住者の体格や動作のデータを記憶する人物データ記憶手段３、この人物データ記憶手段３のデータから上記建築物に居住する居住者の人物モデルＰを作成するモデル作成手段４、このモデル作成手段４にて作成した人物モデルＰをその居住者に応じた動作を可能として上記表示手段２の画面１４上に映し出すモデル映し出し手段５として機能させることを特徴としている。
【００１３】
また、他の発明の住宅内装設備設計用プログラムは、住宅内装設備を設計するためにコンピュータを、建築物の住宅内装設備のデータを記憶する設備データ記憶手段１、この設備データ記憶手段１のデータに基づいて住宅内装設備を表示手段２の画面１４上に映し出す設備映し出し手段１５、上記建築物の居住者の加齢による体格や動作の変化の予測データを記憶する予測データ記憶手段２２、この予測データ記憶手段２２から任意に選択した年数経過時の予測データに応じて、この年数経過時の居住者の人物モデルＰ１を作成するモデル作成手段２３、このモデル作成手段２３にて作成した人物モデルＰ１をその居住者に応じた動作を可能として上記表示手段２の画面１４上に映し出すモデル映し出し手段２４として機能させることを特徴としている。
【００１４】
さらに、別の発明の住宅内装設備設計用プログラムは、住宅内装設備を設計するためにコンピュータを、建築物の住宅内装設備のデータを記憶する設備データ記憶手段１、この設備データ記憶手段１のデータに基づいて住宅内装設備を表示手段２の画面上１４上に映し出す設備映し出し手段１５、上記建築物の居住者の現在の体格や動作のデータを記憶する人物データ記憶手段２１、この人物データ記憶手段２１のデータから上記建築物に居住する居住者の人物モデルＰを作成するモデル作成手段２５、モデル作成手段２５にて作成した人物モデルＰをその居住者に応じた動作を可能として上記表示手段２の画面１４上に映し出すモデル映し出し手段２７、居住者の加齢による体格や動作の変化の予測データを記憶する予測データ記憶手段２２、任意に選択した年数経過時の予測データに応じて、居住者の人物モデルＰ及び人物モデル動作を変更する変更手段２６として機能させることを特徴としている。
【００１５】
この発明のコンピュータ読み取り可能な記憶媒体は、上記住宅内装設備設計用プログラムを記憶したことを特徴としている。
【発明の効果】
【００１６】
この発明の住宅内装設備設計用表示装置及び住宅内装設備設計用プログラムによる場合、モデル作成手段にて作成した人物モデルをその居住者に応じた動作を可能として、住宅内装設備の画像表示を行っている表示手段の画面上に映し出すことができる。このため、居住者がこの画面を見ることによって、この居住者が、実際に住んでいない住宅において実際に生活している様子を把握することができる。しかも、表示手段にて表示されている住宅内装設備の画像は、建築物の住宅内装設備のデータを記憶している設備データ記憶手段からのデータの基づくものであり、居住者が実際に使用するものである。また、人物モデル作成手段にて作成された人物モデルは、人物データ記憶手段からのデータに基づくものであり、居住者の体格や動作に正確に対応している。このため、この住宅内装設備設計用表示装置の表示に基づいて、住宅設計を行えば、居住者に合った住宅（建築物）を建てることができ、居住者にとって住み心地（使い勝手）のよい住宅となる。
【００１７】
また、この発明の他の住宅内装設備設計用表示装置及び他の住宅内装設備設計用プログラムによる場合、モデル作成手段にて年数経過時の居住者の人物モデルを作成し、この人物モデルをその居住者に応じた動作を可能として表示手段の画面上に映し出すものである。このため、居住者がこの画面を見ることによって、任意に選択した年数経過時の居住者が画面上の住居において生活している状態を把握することができる。これによって、年数経過時においては、住宅内装設備が現在のままでは使い勝手が悪くなる等を把握することができる。従って、任意に設定した年数経過時におけるリフォームの必要性を把握することができる。このため、生活設計を立て易く、安定した生活を営むことができる。
【００１８】
さらに、この発明の別の住宅内装設備設計用表示装置及び別の住宅内装設備設計用プログラムによる場合、モデル作成手段にて作成した現在の人物モデルをその居住者に応じた動作を可能として、住宅内装設備の画像表示を行っている表示手段の画面上に映し出すことができる。また、変更手段にて、年数経過時の居住者の人物モデルを作成し、この人物モデルをその居住者に応じた動作を可能として上記表示手段の画面上に映し出すことができる。このため、居住者がこの画面を見ることによって、現在の居住者と、任意に選択した年数経過時の居住者とが、画面上の住居において生活する状態を把握することができる。これによって、現在の居住者にあった住宅設計を行うと共に、任意に設定（選択）した年数経過時におけるリフォームを考慮した設計も行うことができる。このため、長期にわたって快適居住を営むことができる。
【００１９】
予測データ記憶手段の予測データが、居住者の変動データを含む場合においては、例えば、子供が成長してこの住宅から出ていって減少したり、子供が結婚して増加したりすることを考慮した生活を提案することができる。このため、長期にわたる生活設計が可能となる。
【００２０】
また、住宅内装設備の画像が三次元画像であると共に、居住者の人物モデルが三次元形状であって、人物モデル動作の三次元動作が可能であるものであれば、表示手段の画面を見た居住者は、居住者が実際に生活する状態（状況）をよりリアルに把握することができる。
【００２１】
さらに、記憶媒体は、上記住宅内装設備設計用プログラムを記憶しているので、この記憶媒体を使用すれば、住宅内装設備設計用表示装置と同様、上記居住者に合った住宅（建築物）を建てることができ、居住者にとって住み心地（使い勝手）のよい住宅を設計する等の作用効果を奏することができる。
【発明を実施するための最良の形態】
【００２２】
次に、この発明の住宅内装設備設計用表示装置、住宅内装設備設計用プログラム、及び記憶媒体の具体的な実施の形態について、図面を参照しつつ詳細に説明する。図１は住宅内装設備設計用表示装置の概念図であり、図２はブロック図である。この住宅内装設備設計用表示装置は、建築物の住宅内装設備のデータを記憶する設備データ記憶手段１と、この設備データ記憶手段１のデータに基づいて住宅内装設備の画像表示を行う表示手段２と、上記建築物の居住者の体格や動作のデータを記憶する人物データ記憶手段３と、この人物データ記憶手段３のデータから上記建築物に居住する居住者の人物モデルＰ（図４等参照）を作成するモデル作成手段４と、このモデル作成手段４にて作成した人物モデルＰをその居住者に応じた動作を可能として上記表示手段２の画面１４上に映し出すモデル映し出し手段５と、設備データ記憶手段１等のデータを処理する設備映し出し手段１５とを備える。
【００２３】
具体的には、この住宅内装設備設計用表示装置は、図２に示すように、ＣＰＵ（中央処理装置）６とハードディスク６とＲＯＭ８（読み出し用メモリ）とＲＡＭ９（書き込み読み出し自由メモリ）を有する制御手段（制御部）１０を備え、制御手段１０に入力部１１、上記表示手段２、及び通信部１３等が接続されている。そして、表示手段２は、ＣＲＴや液晶ディスプレイ等からなる画面１４（図４参照）を有するモニターを備える。また、入力部１１は、キーボードやマウス等からなり、通信部１３は通信回路１６を介してＬＡＮやインターネット等の各種ネットワークに接続される。
【００２４】
そして、制御手段（制御部）１０には記録媒体１７を介して、種々のデータ等が入力される。記録媒体（外部記憶装置）１７は、例えば、ＣＤ−ＲＯＭやフレキシブルディスク等から構成することができ、建築物の住宅内装設備のデータ、建築物の居住者の体格や動作のデータ等が記録され、さらには、住宅内装設備等の画像表示を行うためのコンピュータプログラム等が格納されている。
【００２５】
このため、記憶媒体１７にて記憶されているデータやコンピュータプログラムは、インストールプログラムを起動させることで、制御部１０のハードディスク７にインストールされ、プログラム実行時にＲＡＭ９に一時格納される。このため、ハードディスク７にて、建築物の住宅内装設備のデータを記憶する設備データ記憶手段１と、建築物の居住者の体格や動作のデータを記憶する人物データ記憶手段３とを構成することができる。また、ハードディスク７は書き込み可能なディスクであり、種々のコンピュータプログラムを記憶する。このため、ハードディスク７をもってこの発明にかかる記憶媒体と呼ぶことも可能であり、この記憶したコンピュータプログラムをＣＰＵ６がＲＡＭ９にロードすることによって、人物データ記憶手段３のデータから居住者の人物モデルＰを作成する処理、及び人物モデルＰをその居住者に応じた動作を可能として上記表示手段２の画面１４上に映し出す処理等を行う。従って、設備映し出し手段１５、モデル作成手段４、及びモデル映し出し手段５等としては、上記ＣＰＵ６及びＲＡＭ９等にて構成することができる。
【００２６】
ところで、建築物の住宅内装設備のデータとしては、例えば、建築しようとする建築物の住宅内装設備のデータであり、台所に配置されるシステム・キッチンの配置位置や高さ、吊戸棚の高さ、浴室の床面からの浴槽の高さ、階段や廊下の配置される手摺の高さ等の種々のデータである。また、住宅内装設備のデータには、和室の出入口部の開口部下部に段差があるか否か、段差があればその段差高さ等のデータを有する。
【００２７】
また、人物データとしては、年齢、性別、伸長、体重等のデータに加え、その各人の動作データを含む。ここで、動作データとは、手足の移動できる範囲、腰の屈める範囲、背伸びできる範囲等の居住者の動ける範囲のデータである。
【００２８】
モデル作成手段４による人物モデルＰは、例えば、特開２００２−２５９４７４号公報に記載されているようなモデル作成方法にて作成することができる。このモデル作成方法は、人体（人物）の寸法を表す人物データを用い、各関節の３次元位置を算出し、さらに人体の形状を表す複数のスライスの大きさを算出する。次に、それらの算出結果を用いて人体を構成する各パーツの形状を修正する。そして、このように形状が修正された各パーツを組み合わせることによって、人体（人物）モデルを作成（生成）するものである。この場合、複数のスライスを用いることによって、人体の各部にかかる種々の形状を表現することができる。このため、複数のスライスを組み合わせることによって、作成（生成）した人物モデルＰを種々の姿勢を表現することができる。
【００２９】
そして、この住宅内装設備設計用表示装置では、各居住者のデータに基づき、各居住者の人物モデルＰを作成することになり、しかも、各人物モデルＰは、その居住者の動作を行うことになる。また、住宅内装設備の画像が三次元画像であると共に、居住者の人物モデルＰが三次元形状であって、人物モデル動作の三次元動作が可能としている。なお、図４と図５においては、図示の簡略化のために、住宅内装設備の画像及び人物モデルＰ、Ｐ１を二次元的に描いている。
【００３０】
なお、この実施の形態においては、通信部１３が通信回路１６を介してＬＡＮやインターネット等の各種ネットワークに接続されるので、建築物の住宅内装設備のデータ等やコンピュータプログラムを、インターネット等のネットワークからダウンロードして、ハードディスク７に格納することで得るようにしてもよい。このため、接続される外部サーバコンピュータに内蔵されたコンピュータプログラムを記憶してある記憶媒体をもって、この発明にかかる記憶媒体としてもよい。
【００３１】
次に、上記のように構成された表示装置による表示方法を説明する。建築物に居住する居住者の体格に対応した人物モデルＰをモデル作成手段４にて作成し、上記建築物の住宅内装設備の画像表示を表示する表示手段２に、上記建築物に居住する居住者の人物モデルＰを取り込み、画面１４上において人物モデルＰをその居住者に応じた動作を可能として映し出すことになる。具体的には、制御手段１０のＣＰＵ６がコンピュータプログラムの実行を開始すると、建築物の住宅内装設備のデータ（設備データ記憶手段１のデータ）を、ＲＡＭ９（上記インストールプログラム実行によりこの住宅内装設備のデータが格納されている）から読みとり、このデータに基づいて、図４に示すように、表示手段２の画面１４上に、図４（ａ）に示すように、台所のシステム・キッチン１８や吊戸棚１９を表示したり、図４（ｂ）に示すように、和室の出入口部の開口下端部の段差部２０等を表示したりする。また、コンピュータプログラムの実行により、作成された人物モデルＰを、上記画面１４上に動作を可能として映し出すことになる。
【００３２】
上記図１にように構成した場合、この住宅内装設備設計用プログラムを実行させるによって建築物の住宅内装設備の設計を行うことができる。すなわち、コンピュータを、建築物の住宅内装設備のデータを記憶する設備データ記憶手段１、この設備データ記憶手段１のデータに基づいて住宅内装設備を表示手段２の画面１４上に映し出す映し出し手段１５、上記建築物の居住者の体格や動作のデータを記憶する人物データ記憶手段３、この人物データ記憶手段３のデータから上記建築物に居住する居住者の人物モデルＰを作成するモデル作成手段４、このモデル作成手段４にて作成した人物モデルＰをその居住者に応じた動作を可能として上記表示手段２の画面１４上に映し出すモデル映し出し手段５として機能させるものである。
【００３３】
ところで、ユーザ（居住者）が住宅（建築物）を建築する際には、図３に示すフローチャートに従って作業することができる。すなわち、モデル作成手段４にて人物モデルＰを作成する（ステップＳ１）。その後、建築物の住宅内装設備が表示されている画面１４上に、作成された人物モデルＰを上記画面１４上に動作を可能として映し出すことになる（ステップＳ２）。そして、居住者がこの画面１４を見ることによって、この居住者が実際の住宅内装設備（例えば、台所の吊戸棚１９）を使用している状態（状況）を把握する。
【００３４】
その後、ステップＳ３へ移行して、他の住宅内装設備（例えば、和室の出入口部の開口部下端部等の段差部２０）へ対応させるか否かを判断する。対応させない場合は終了する。対応させる場合は、ステップＳ４へ移行して、他の住宅内装設備に人物モデルＰを移動させ、他の住宅内装設備が表示されている画面１４上に、人物モデルＰを映し出し、居住者がこの画面１４を見ることによって、この居住者が実際の住宅内装設備（例えば、段差部）を通過している状態（状況）を把握する。その後は、ステップＳ５へ移行して、終了か否かを判断して、終了なならば終了し、終了しない場合には、ステップＳ４へ戻って、他の住宅内装設備に人物モデルＰを移動させる。
【００３５】
このようなフローチャートに従えば、例えば、図５（ａ）（ｂ）に示すように、画面１４上に表示されているシステム・キッチン１８や吊戸棚１９の高さ寸法Ｈ、Ｈ１が、この人物モデルＰに合っているか否かを判断したり、図５（ｃ）に示すように、画面１４上に表示されている段差部２０を人物モデルＰが簡単に通過できるかを判断したりすることができる。
【００３６】
上記住宅内装設備設計用表示装置を用いれば、モデル作成手段４にて作成した人物モデルＰをその居住者に応じた動作を可能として、住宅内装設備の画像表示を行っている表示手段２の画面１４上に映し出すことができる。このため、居住者がこの画面１４を見ることによって、この居住者が、実際に住んでいない住宅において実際に生活している様子を把握することができる。しかも、表示手段２にて表示されている住宅内装設備の画像は、建築物の住宅内装設備のデータを記憶している設備データ記憶手段１からのデータの基づくものであり、居住者が実際に使用するものである。また、モデル作成手段４にて作成された人物モデルＰは、人物データ記憶手段３からのデータに基づくものであり、居住者の体格や動作に正確に対応している。このため、この住宅内装設備設計用表示装置の表示に基づいて、住宅設計を行えば、居住者に合った住宅（建築物）を建てることができ、居住者にとって住み心地（使い勝手）のよい住宅となる。また、住宅内装設備の画像が三次元画像であると共に、居住者の人物モデルＰが三次元形状であって、人物モデル動作の三次元動作が可能であれば、表示手段２の画面１４を見た居住者は、居住者が実際に生活する状態（状況）をよりリアルに把握することができる。
【００３７】
次に図６は他の実施の形態を示し、この住宅内装設備設計用表示装置は、予測データ記憶手段２２を備える。この予測データ記憶手段２２は、建築物の居住者の加齢による体格や動作の変化の予測データを記憶するものである。すなわち、居住者は、年をとること（加齢すること）によって、体格やその動作が変化する。このため、現在の体格や動作から、例えば、１０年後、２０年後の体格やその動作を予測し、その予測データを予測データ記憶手段２２に記憶するものである。なお、この予測データは、現在の体格や動作に基づいて、一般的に予測できる平均値であり、おおよそ信頼できるデータである。
【００３８】
また、この際のモデル作成手段２３は、上記予測データ記憶手段２２の予測データに基づいて、任意に選択した年数経過時の居住者のＰ１（図４等参照）を作成するものである。このため、このモデル映し出し手段２４は、年数経過時の居住者の人物モデルＰ１を、表示手段２の画面１４上に表示するものである。
【００３９】
このため、図６に示す住宅内装設備設計用表示装置では、建築物の居住者の加齢による体格や動作の変化の予測データを記憶した予測データ記憶手段２２から、任意に選択した年数経過時の予測データを引出して、この年数経過時の上記居住者の人物モデルＰ１をモデル作成手段２３にて作成し、上記建築物の住宅内装設備の画像表示を表示する表示手段２に、上記モデル作成手段２３にて作成した人物モデルＰ１を、その居住者に応じた動作を可能として取り込むことになる。
【００４０】
上記図６のように構成した場合、この住宅内装設備設計用プログラムを実行させるによって建築物の住宅内装設備の設計を行うことができる。すなわち、このコンピュータを、建築物の住宅内装設備のデータを記憶する設備データ記憶手段１、この設備データ記憶手段１のデータに基づいて住宅内装設備を表示手段２の画面１４上に映し出す設備映し出し手段１５、上記建築物の居住者の加齢による体格や動作の変化の予測データを記憶する予測データ記憶手段２２、この予測データ記憶手段２２から任意に選択した年数経過時の予測データに応じて、この年数経過時の居住者の人物モデルＰ１を作成するモデル作成手段２３、このモデル作成手段２３にて作成した人物モデルＰ１をその居住者に応じた動作を可能として上記表示手段２の画面１４上に映し出すモデル映し出し手段２４として機能させるものである。
【００４１】
この住宅内装設備設計用表示装置では、図５（ａ）（ｂ）の仮想線に示すように、この年数経過時の人物モデルＰ１は、現在の人物モデルＰよりも手等の届く範囲が狭くなったり、図５（ｃ）に示しように、段差部２０を越えにくくなったりすることがわかる。このため、居住者がこの画面１４を見ることによって、任意に選択した年数経過時の居住者が、画面１４上の住居において生活している状態を把握することができる。これによって、年数経過時においては、住宅内装設備が画面１４上のままでは使い勝手が悪くなる等を把握することができる。従って、任意に設定（選択）した年数経過時におけるリフォームの必要性を把握することができる。このため、生活設計を立て易く、安定した生活を営むことができる。
【００４２】
この図６に示す住宅内装設備設計用表示装置では、図７に示すフローチャートに従って作業することができる。すなわち、予測データ記憶手段２２からのデータに基づいて、モデル作成手段２３にて任意に選択した年数経過時（例えば、１０年後）の居住者の人物モデルＰ１を作成する（ステップＳ６）。次に、建築物の住宅内装設備が表示されている画面１４上に、加齢させた人物モデルＰ１を、上記画面１４上に動作を可能として映し出す（ステップＳ７）。そして、居住者がこの画面１４を見ることによって、この年をとった居住者が現在の住宅内装設備（例えば、台所の吊戸棚１９）を使用している状態（状況）を把握する。
【００４３】
その後、ステップＳ８へ移行して、他の住宅内装設備（例えば、和室の出入口部の開口部下端部等の段差部２０）へ対応させるか否かを判断する。対応させない場合は終了する。対応させる場合は、他の住宅内装設備に人物モデルＰ１を移動させ、他の住宅内装設備が表示されている画面１４上にこの加齢させた人物モデルＰ１を映し出す（ステップＳ９）。これによって、居住者がこの画面１４を見ることによって、この年を取った居住者が現在の住宅内装設備（例えば、段差部２０）を通過している状態（状況）を把握する。その後は、ステップＳ１０へ移行して、終了か否かを判断して、終了なならば終了し、終了しない場合には、ステップＳ９へ戻って、他の住宅内装設備に人物モデルＰ１を移動させる。
【００４４】
また、図６に示す住宅内装設備設計用表示装置において、任意に選択した年数経過時の予測データに応じて、リフォームの目安となる仮想住宅内装設備を設定する設定手段３０と、この設定手段に設定された仮想住宅内装設備を上記表示手段２の画面１４上に表示する仮想設備映し出し手段３１とを備えたものであってもよい。
【００４５】
すなわち、図５（ａ）に示すように、加齢された人物モデルＰ１は仮想線で示すようにその手の届く範囲は狭く、これに基づいて高さＨ３が低い仮想住宅内装設備（この場合システム・キッチン１８）を設定したり、図５（ｂ）に示すように、高さＨ１が低い仮想住宅内装設備（吊戸棚１８）を設定したりすることができる。この際、システム・キッチン１８等が、現在の高さＨよりも寸法Ａだけ低くしたり、吊戸棚１９の高さを寸法Ｂだけ低くしたりするのが好ましいことが分る。また、図５（ｃ）に示すように、高さ寸法を寸法Ｃだけ低くして、加齢された人物モデルＰ１が楽に通過できる高さの段差部２０の仮想住宅内装設備の設計も可能である。
【００４６】
このように、リフォームの目安となる仮想住宅内装設備を設定し、この設定手段３０に設定された仮想住宅内装設備を表示手段２の画面１４上に表示するようにすれば、居住者は、年数経過時において居住者にあった理想の住宅内装設備を見出すことがでる。このため、リフォームの必要性を実感できる。
【００４７】
次に図８は別の実施の形態を示し、この住宅内装設備設計用表示装置は、人物データ記憶手段２１と、予測データ記憶手段２２とを備える。また、この場合のモデル作成手段２５は、変更手段２６を備え、任意に選択した年数経過時の予測データに応じて、居住者の人物モデルＰ及び人物モデル動作を変更するものである。
【００４８】
この図８に示す住宅内装設備設計用表示装置を用いれば、建築物に居住する居住者の現在の体格に対応した人物モデルＰをモデル作成手段２５にて作成し、上記建築物の住宅内装設備の画像表示を表示した表示手段２に、上記モデル作成手段２５にて作成した人物モデルＰをその居住者に応じた動作を可能として取り込み、さらに、建築物の居住者の加齢による体格や動作の変化の予測データを記憶した予測データ記憶手段２２から、任意に選択した年数経過時の予測データを引出して、この年数経過時の上記居住者の人物モデルＰ１をモデル作成手段２５の変更手段２６にて変更し、モデル映し出し手段２７を介して、上記表示手段２に、この年数経過時の人物モデルＰ１をその居住者に応じた動作を可能として取り込むことになる。
【００４９】
上記図８のように構成した場合、この住宅内装設備設計用プログラムを実行させるによって建築物の住宅内装設備の設計を行うことができる。すなわち、このコンピュータを、建築物の住宅内装設備のデータを記憶する設備データ記憶手段１、この設備データ記憶手段１のデータに基づいて住宅内装設備を表示手段２の画面上１４上に映し出す設備映し出し手段１５、上記建築物の居住者の現在の体格や動作のデータを記憶する人物データ記憶手段２１、この人物データ記憶手段２１のデータから上記建築物に居住する居住者の人物モデルＰを作成するモデル作成手段２５、モデル作成手段２５にて作成した人物モデルＰをその居住者に応じた動作を可能として上記表示手段２の画面１４上に映し出すモデル映し出し手段２７、居住者の加齢による体格や動作の変化の予測データを記憶する予測データ記憶手段２２、任意に選択した年数経過時の予測データに応じて、居住者の人物モデルＰ及び人物モデル動作を変更する変更手段２６として機能させるものである。
【００５０】
このため、図８に示す住宅内装設備設計用表示装置では、モデル作成手段２５にて作成した現在の人物モデルＰをその居住者に応じた動作を可能として、住宅内装設備の画像表示を行っている表示手段２の画面１４上に映し出すことができる。また、変更手段２６にて、年数経過時の居住者の人物モデルＰ１を作成し、この人物モデルＰ１をその居住者に応じた動作を可能として上記表示手段２の画面１４上に映し出すことができる。このため、居住者がこの画面１４を見ることによって、現在の居住者と、任意に選択した年数経過時の居住者とが、画面１４上の住居において生活する状態を把握することができる。これによって、現在の居住者にあった住宅設計を行うと共に、任意に設定（選択）した年数経過時におけるリフォームを考慮した設計も行うことができる。このため、長期にわたって快適居住を営むことができる。
【００５１】
この図８に示す住宅内装設備設計用表示装置では、図９に示すフローチャートに従って作業することができる。現在の人物モデルＰを作成する（ステップＳ１１）。また、加齢させた人物モデルＰ１を作成する（ステップＳ１２）。なお、ステップＳ１１とステップＳ１２とをどちらを先に行ってもよい。次に、ステップＳ１３へ移行して、住宅内装設備を表示している画面１４上に現在の人物モデルＰ及び加齢人物モデルＰ１を映し出す。そして、居住者がこの画面１４を見ることによって、現在の居住者と、任意に選択した年数経過時の居住者とが、画面１４上の住居において生活する状態を把握する。
【００５２】
その後、ステップＳ１４へ移行して、各人物モデルＰ、Ｐ１を他の他の住宅内装設備（例えば、和室の出入口部の開口部下端部等の段差部２０）へ対応させるか否かを判断する。対応させない場合は終了する。対応させる場合は、ステップＳ１５に戻る。
【００５３】
また、この図８に示す住宅内装設備設計用表示装置においても、任意に選択した年数経過時の予測データに応じて、リフォームの目安となる仮想住宅内装設備を設定する設定手段３０と、この設定手段に設定された仮想住宅内装設備を上記表示手段２の画面１４上に表示する仮想設備映し出し手段３１とを備えたものであってもよい。
【００５４】
このように、リフォームの目安となる仮想住宅内装設備を設定し、この設定手段３０に設定された仮想住宅内装設備を表示手段２の画面１４上に表示するようにすれば、居住者は、年数経過時において居住者にあった理想の住宅内装設備を見出すことがでる。このため、リフォームの必要性を実感できると共に、この建設物が設計段階であれば、任意に設定（選択）した年数経過時におけるリフォームを考慮した設計を行い易い利点がある。
【００５５】
ところで、図６や図８における予測データ記憶手段２２の予測データには、居住者の増減のデータを含むものであってもよい。このように、居住者の変動データを含む場合においては、例えば、子供が成長してこの住宅から出ていって減少したり、子供が結婚して増加したりすることを考慮した生活を提案することができる。このため、長期にわたって快適居住を営むことができる。
【００５６】
以上にこの発明の具体的な実施の形態について説明したが、この発明は上記形態に限定されるものではなく、この発明の範囲内で種々変更して実施することができる。例えば、画面１４上に表示される画像として３次元画像に限るものではなく、２次元画像であってもよく、人物モデルＰ、Ｐ１も３次元形状でなく２次元形状であっても、動作も２次元動作であってもよい。また、人物モデルＰ、Ｐ１の動作が連続した動きであっても、いわゆるこま送り状に、所定量だけ動作した状態が順次映し出されるものであってもよい。さらに、各状態での印刷が可能な出力手段（プリンター）を備えたものであってもよい。また、選択する年数経過の年数は、ユーザ（居住者）が任意に設定することができ、数年から数十年の範囲で設定することができる。
【図面の簡単な説明】
【００５７】
【図１】この発明の住宅内装設備設計用表示装置の実施形態を示す概念図である。
【図２】上記住宅内装設備設計用表示装置のブロック図である。
【図３】上記住宅内装設備設計用表示装置を使用した表示方法のフローチャ−ト図である。
【図４】上記住宅内装設備設計用表示装置の表示手段の画面を示す簡略図である。
【図５】上記住宅内装設備設計用表示装置の表示手段の画面を示す要部拡大簡略図ある。
【図６】この発明の住宅内装設備設計用表示装置の他の実施形態を示す概念図である。
【図７】上記住宅内装設備設計用表示装置を使用した表示方法のフローチャ−ト図である。
【図８】この発明の住宅内装設備設計用表示装置の別の実施形態を示す概念図である。
【図９】上記住宅内装設備設計用表示装置を使用した表示方法のフローチャ−ト図である。
【符号の説明】
【００５８】
１・・設備データ記憶手段、２・・表示手段、３、２１・・人物データ記憶手段、４、２３、２５・・モデル作成手段、５・・モデル映し出し手段、１４・・画面、１５・・設備映し出し手段、２２・・予測データ記憶手段、２６・・変更手段、３０・・設定手段、３１・・仮想設備映し出し手段、Ｐ、Ｐ１・・人物モデル
【図１】
2007011433.tif 000003
【図２】
2007011433.tif 000004
【図３】
2007011433.tif 000005
【図４】
2007011433.tif 000006
【図５】
2007011433.tif 000007
【図６】
2007011433.tif 000008
【図７】
2007011433.tif 000009
【図８】
2007011433.tif 000010
【図９】
2007011433.tif 000011